(57)【要約】【課題】部品点数を少なくできて施工作業性を向上でき、清掃性も向上できる浴室出入口用建具を提供すること。【解決手段】浴室出入口用建具は、浴室出入口に取り付けられる建具枠と、建具枠に対して開閉可能に設けられた障子とを備える。建具枠は、下枠本体２２を備え、下枠本体２２の上面部２２０には、連結部材５が取り付けられる。連結部材５には、上面部２２０との間に排水空間を形成する下枠スロープ部材が取り付けられる。連結部材５は、下枠スロープ部材が係合する係合壁部５４と、浴室側に向かって延長されたベース部５０とを備える。ベース部５０の浴室側の先端部５２３は、先端に向かうにしたがって幅寸法が小さくなり、ベース部５０の２つの側面５０１は、先端部５２３で互いに連続する。【選択図】図５
2014148883.tif 000002
【特許請求の範囲】
【請求項１】
浴室出入口に取り付けられる建具枠と、この建具枠に対して開閉可能に設けられた障子とを備える浴室出入口用建具であって、
前記建具枠は、下枠本体を備え、
前記下枠本体の上面部には、連結部材が取り付けられ、
前記連結部材には、前記下枠本体の上面部との間に排水空間を形成する下枠スロープ部材が取り付けられ、
前記連結部材は、前記下枠スロープ部材が係合する係合壁部と、浴室側に向かって延長されたベース部とを備え、
前記ベース部の浴室側の先端部は、先端に向かうにしたがって幅寸法が小さくなり、前記ベース部の２つの側面は、前記先端部で互いに連続する浴室出入口用建具。
【請求項２】
前記ベース部の側面は、連結部材の上面から下面に向かって外側に傾斜している請求項１に記載の浴室出入口用建具。
【請求項３】
前記ベース部の先端部は、前記下枠本体から浴室側に突出して配置されている請求項１または請求項２に記載の浴室出入口用建具。
【請求項４】
前記連結部材は、前記下枠本体の見付け方向の端部または前記下枠スロープ部材の小口から設定寸法以内の位置に配置されている請求項１から請求項３のいずれかに記載の浴室出入口用建具。
【請求項５】
前記ベース部の先端部は、平面円弧形状である請求項１から請求項４のいずれかに記載の浴室出入口用建具。
【請求項６】
前記下枠スロープ部材の下面にはフック部が形成され、
前記係合壁部には前記フック部に係合する係合突起が形成され、
前記連結部材において係合壁部のベース部側には前記連結部材を下枠本体にビス止めする固定部が設けられ、
前記ベース部は前記固定部から浴室側に向かって延長されている請求項１から請求項５のいずれかに記載の浴室出入口用建具。
【発明の詳細な説明】
【技術分野】
【０００１】
本発明は、浴室出入口用建具に関する。
【背景技術】
【０００２】
浴室出入口用の建具として、浴室の脱衣室側の床面から、建具下枠の上面および浴室の床面（洗い場）まで、高さレベルがほぼ一定か僅かに傾斜した略フラットな面を形成したバリアフリータイプの建具が知られている。
このようなバリアフリータイプの浴室出入口用建具としては、従来、洗い場から脱衣室側に水が流出することを防止するため、浴室出入口用建具の下枠下側に配水樋や排水管を設け、浴室から流出する水を下枠下側の排水樋等に落として排水する構造のものが用いられていた。
【０００３】
この従来の建具の構造では、建具下側や洗い場の下側等に排水樋や配水管を配置するスペースが必要となり、施工性やメンテナンス性が低下するため、このような排水樋等を設けない浴室出入口用建具も提案されている。
例えば、片引き戸形式の障子を下枠のレールに開閉自在に設け、下枠の上面部の脱衣室側端部に立上部を設け、この立上部の上端と同じ高さに上端が位置するスロープ用アタッチメントを上面部に設け、このアタッチメント部材と上面部との間に上面部上に流出した水を浴室側へ戻す排水空間を形成した従来例（特許文献１）がある。
特許文献１では、前記スロープ用アタッチメントの下側に、前記排水空間および浴室の洗い場上方空間に跨がる引水部材を設けている。この引水部材は、投影面積に対して表面積を大きくする表面積拡大手段が設けられ、フラットな下枠上面部に滞留しようとする水の表面に引水部材を接触させて水の表面張力を壊し、引水部材に沿って浴室側に水を誘導していた。
【先行技術文献】
【特許文献】
【０００４】
【特許文献１】特許第４２３６６１６号公報
【発明の概要】
【発明が解決しようとする課題】
【０００５】
しかしながら、前記特許文献１では、下枠の上面部に、スロープ用アタッチメントを取り付けるためのアタッチメント取付部材と、前記引水部材とを配置しなければならない。このため、部品点数が多くなり、施工作業も煩雑になるという問題がある。
また、引水部材は表面積を大きくするために凹凸が多い形状とされている。このため、引水部材の凹凸部分にゴミ詰まりが発生し、清掃性が悪いという問題もある。
本発明の目的は、部品点数を少なくできて施工作業性を向上でき、清掃性も向上できる浴室出入口用建具を提供することにある。
【課題を解決するための手段】
【０００６】
本発明の浴室出入口用建具は、浴室出入口に取り付けられる建具枠と、この建具枠に対して開閉可能に設けられた障子とを備える浴室出入口用建具であって、前記建具枠は、下枠本体を備え、前記下枠本体の上面部には、連結部材が取り付けられ、前記連結部材には、前記下枠本体の上面部との間に排水空間を形成する下枠スロープ部材が取り付けられ、前記連結部材は、前記下枠スロープ部材が係合する係合壁部と、浴室側に向かって延長されたベース部とを備え、前記ベース部の浴室側の先端部は、先端に向かうにしたがって幅寸法が小さくなり、前記ベース部の２つの側面は、前記先端部で互いに連続することを特徴とする。
【０００７】
本発明によれば、連結部材のベース部は浴室側に向かって延長され、その浴室側の先端部は先端に向かうにしたがって幅寸法が小さくなり、ベース部の２つの側面は、先端部で互いに連続する形状とされている。このため、前記側面に接触した残水は、水滴形状が壊されることで、前記側面に沿って引水される。そして、前記先端部で両側面が連続することで、各側面で引水された水が合流して大きくなり、連結部材に接触したまま停滞することなく、浴室側に容易に流すことができる。
その上、連結部材は、下枠スロープ部材が係合する係合壁部を備えているので、下枠スロープ部材を取り付けることができる。すなわち、連結部材は、下枠スロープ部材の取付部品と、残水を排水する引水部材とを兼ねているので、部品点数を少なくでき、施工性を向上できる。
さらに、連結部材は、ベース部の側面に残水を接触させて側面に沿って引水し、先端部で合流させて排水しているため、従来のような多数の溝を設ける必要が無い。このため、ゴミなどが連結部材に詰まるおそれがなく、清掃性を向上できる。
【０００８】
本発明において、前記ベース部の側面は、連結部材の上面から下面に向かって外側に傾斜していることが好ましい。
ベース部の側面が傾斜面で形成されていれば、鉛直面の場合に比べて、残水に接触する面積が大きくなり、引水効果を増大できる。また、ベース部の側面を傾斜面とする場合に、上面から下面に向かって内側に傾斜させた場合には、残水の接触面積は大きくできるが、ベース部の側面と下枠本体の上面部との間が凹部になるため、清掃性が低下する。
一方、本発明のように、上面から下面に向かって外側に傾斜させた側面とすれば、接触面積を増大でき、かつ、清掃性の低下を防止できる。
【０００９】
本発明において、前記ベース部の先端部は、前記下枠本体から浴室側に突出して配置されていることが好ましい。
ベース部の先端部が下枠本体から浴室側に突出していれば、残水をベース部の側面に沿って浴室側まで確実に引水して浴室側に排水できる。このため、下枠本体の上面部に残水が発生することを抑制できる。
【００１０】
本発明において、前記連結部材は、前記下枠本体の見付け方向の端部または前記下枠スロープ部材の小口から設定寸法以内の位置に配置されていることが好ましい。
本発明によれば、連結部材を、下枠本体の見付け方向の端部、つまり建具枠の縦枠の近傍位置に配置できる。また、下枠スロープ部材を、下枠本体の見付け方向に複数枚設けた場合には、下枠スロープ部材の小口の近傍位置に配置できる。
このため、連結部材と縦枠との間や、連結部材と下枠スロープ部材の小口キャップとの間に水みちが形成された場合に、その水みちが途切れにくくなる。このため、これらの間に位置する水は、水滴となって留まることが少なく、連結部材や小口キャップに引水されて浴室側に排水できる。
【００１１】
本発明において、前記ベース部の先端部は、平面円弧形状であることが好ましい。
ベース部の先端部が平面円弧形状であれば、ベース部の側面に沿って引水された水を、先端部の円弧状の先端面にスムーズに移動できる。さらに、両側面から引水された水を前記先端面でスムーズに合流させることができ、大きな水滴となった水を先端部から容易に排出できる。
【００１２】
本発明において、前記下枠スロープ部材の下面にはフック部が形成され、前記係合壁部には前記フック部に係合する係合突起が形成され、前記連結部材において係合壁部のベース部側には前記連結部材を下枠本体にビス止めする固定部が設けられ、前記ベース部は前記固定部から浴室側に向かって延長されていることが好ましい。
本発明によれば、固定部で下枠本体にビス止めされた連結部材の係合突起に、前記下枠スロープ部材のフック部を係合させるだけで下枠スロープ部材を取り付けることができる。従って、下枠スロープ部材は連結部材に対して容易に着脱でき、下枠スロープ部材を取り外して清掃する場合の作業性を向上できる。
【発明の効果】
【００１３】
本発明の浴室出入口用建具によれば、部品点数を少なくでき、清掃性を向上できる。
【図面の簡単な説明】
【００１４】
【図１】浴室出入口用建具を浴室側から示す正面図。
【図２】浴室出入口用建具の縦断面図。
【図３】浴室出入口用建具の横断面図。
【図４】下枠本体、連結部材、下枠スロープ部材を示す断面図。
【図５】連結部材の斜視図。
【図６】連結部材を裏面側から見た斜視図。
【図７】連結部材の断面図。
【図８】連結部材の変形例を示す斜視図。
【図９】連結部材の他の変形例を示す斜視図。
【発明を実施するための形態】
【００１５】
以下、本発明の実施形態を図面に基づいて説明する。
なお、各図においては、図面を見やすくするために、主要な構成部材については、その断面部分のハッチングを省略することがある。
本発明の実施形態に係る浴室出入口用建具（サッシ）の全体構成について、図１ないし図３に基づいて説明する。
図１は、本実施形態の浴室出入口用建具１を浴室側から示す正面図である。図２は、浴室出入口用建具１の縦断面図であり、図３は、浴室出入口用建具１の横断面図である。
本実施形態の浴室出入口は、浴室床（洗い場）１００の床面１０１と、脱衣室床１１０の床面１１１および建具枠２の敷居（下枠）の最上面との段差が所定寸法範囲、例えば、約１０〜２０mm程度以下とされた低段差構造とされている。
浴室出入口用建具１は、建具枠２と、この建具枠２内に開閉自在に設けられた引き戸形式の障子３とを備えた建具である。本実施形態の浴室出入口用建具１は、３枚の障子３を備える三枚片引き戸とされている。
【００１６】
［建具枠］
建具枠２は、それぞれアルミ押出形材製の上枠２１、下枠および左右の縦枠２３、２４を枠組みすることで形成されている。そして、脱衣室側において、脱衣室床１１０に下枠がビス止めされ、天井１２０に上枠２１がビス止めされている。浴室側において、浴室床１００の端部に形成された支持部１０３に下枠が載置されている。
【００１７】
［障子］
障子３は、それぞれアルミ押出形材製の上框３１、下框３２、左右の縦框３３、３４を枠組みし、ガラスや樹脂などの面材３５を組み込んで形成されている。本実施形態では、浴室側から見て右側の障子３の右側の縦框３４に取手３６が取り付けられている。
前記建具枠２や障子３の構成や躯体側への取付構造等は、従来と同様のものであるため、説明を省略する。
【００１８】
［下枠］
下枠は、下枠本体２２と、下枠スロープ部材４とを備えて構成されている。
下枠本体２２は、図４にも示すように、略中空筒状の押出成形品であり、上面部２２０と、上面部２２０の脱衣室側端縁から略垂直に立ち上がる立上部２２５と、この立上部２２５の上端から脱衣室側に延長された被覆部２２６とを備えている。また、立上部２２５の上端には浴室側に向かって突片２２７が突出されている。
上面部２２０は略フラットな水平面とされているが、立上部２２５から浴室側端面に向かって低くなるように傾斜されて水勾配が付けられている。より詳細には、上面部２２０は、水勾配の角度の違いから、３枚の障子３のうち、脱衣室側の障子３の下面に位置する脱衣室側上面部２２１と、この脱衣室側上面部２２１の浴室側に連続する中間上面部２２２と、この中間上面部２２２の浴室側に連続する浴室端部側上面部２２３の３つの領域に区画されている。そして、中間上面部２２２の勾配（傾斜角度）は略水平に近い角度（０°〜５°程度）とされ、脱衣室側上面部２２１や浴室端部側上面部２２３の勾配（傾斜角度）は、例えば８°〜１２°程度と、前記中間上面部２２２の水勾配に比べて大きくされている。
中間上面部２２２の上面には、図５にも示すように、下枠本体２２の長手方向に連続する１条の溝２２８が下枠本体２２の長手方向略全長に渡って形成されている。この溝２２８は、所定の深さ寸法（例えば、０．３〜０．６ｍｍ）を有し、断面略半円形状または断面略三角形状に形成され、中間上面部２２２上の水をこの溝２２８に沿って案内できるようになっている。すなわち、中間上面部２２２上に滞留しようとする水の表面張力が溝２２８により壊されて、中間上面部２２２上に水が滞留しにくくなり、スムーズに排出されるように構成されている。
【００１９】
［下枠スロープ部材］
下枠スロープ部材４は、アルミニウム合金等の金属製の押出形材で構成されている。
下枠スロープ部材４は、脱衣室側から浴室側に向かって、係合部４１、第１平面部４２、第２平面部４３、第３平面部４４、傾斜面部４５を備えて形成されている。
係合部４１は、第１平面部４２の脱衣室側端縁から上方に突出し、さらに浴室側に折曲されて形成されている。係合部４１は、下枠本体２２の突片２２７の下側に配置される。このため、係合部４１は、突片２２７に係合して下枠本体２２から容易に外れないように構成されている。
第１平面部４２は略水平面とされ、その上面には、脱衣室側の障子３を案内するレール４２１が一体に形成されている。そして、第１平面部４２の浴室側の端部には、脱衣室側および中間の各障子３の下框３２に当接して脱衣室側への水の流出を防止するシール材４６が取り付けられている。
また、第１平面部４２の下面の脱衣室側端部には、スペーサ４２３を保持する保持部４２４が形成されている。スペーサ４２３は、合成樹脂製の短尺（ピース状）の部材である。このスペーサ４２３は、少なくとも下枠スロープ部材４の両端近傍に１つずつ、計２つ設けられ、下枠スロープ部材４の長さ寸法によっては、さらに中間部に１〜数個設けられる。
このスペーサ４２３により、下枠スロープ部材４の脱衣室側の高さ位置が設定され、かつ、金属製の下枠スロープ部材４が、同じく金属製の下枠本体２２に直接接触することがないようにされている。
【００２０】
第２平面部４３は、第１平面部４２よりも高さ位置が低い略水平面とされている。第２平面部４３には、中間の障子３を案内するレール４３１が一体に形成されている。そして、第２平面部４３の浴室側の端部には、中間および浴室側の各障子３の下框３２に当接して脱衣室側への水の流出を防止するシール材４７が取り付けられている。
また、第２平面部４３の下面には、フック部４３３が下方に突設されている。
第３平面部４４は、第２平面部４３よりも高さ位置が低い略水平面とされている。第３平面部４４には、浴室側の障子３を案内するレール４４１が一体に形成されている。
そして、第３平面部４４の浴室側の端部は上方に立ち上がり、前記傾斜面部４５に連続している。
従って、第１平面部４２、第２平面部４３、第３平面部４４は、凹溝状に形成されている。また、第１平面部４２、第２平面部４３、第３平面部４４には、排水孔（図示略）が形成されている。このため、下枠スロープ部材４の上面に流れ込んだ水は、各平面部４２，４３，４４に形成された排水孔から下枠本体２２の上面に流れ落ちる。そして、下枠本体２２の上面部２２０の水勾配によって浴室床１００側に流すことができる。
このため、後述するように、下枠本体２２および下枠スロープ部材４間の空間は、排水空間７として利用される。
なお、排水孔は、下枠スロープ部材４の長手方向（レール４２１，４３１，４４１に沿った方向）の中間部分等の適宜な位置に形成されている。
【００２１】
傾斜面部４５は、脱衣室側から浴室側に向かって下方に傾斜する傾斜面とされている。傾斜面部４５の浴室側端部は、下枠本体２２よりも浴室側に突出され、浴室床１００の上方に位置している。
そして、傾斜面部４５の浴室側端部の下面には、前記浴室床１００との間をシールするシール材４８が取り付けられている。
下枠スロープ部材４は、連結部材５によって下枠本体２２に着脱可能に取り付けられている。この下枠スロープ部材４の下枠本体２２の長手方向に沿った長手方向の寸法は、本実施形態では、下枠本体２２の長さ寸法の略半分の長さとされている。このため、本実施形態では、２枚の下枠スロープ部材４を下枠本体２２上に取り付けている。なお、下枠スロープ部材４の設置数や長さ寸法は、下枠本体２２の見付け寸法などに応じて設定すればよい。
また、下枠スロープ部材４の長手方向の左右両端（小口）には、小口キャップ６が装着されている。
【００２２】
［連結部材］
連結部材５は、図３に示すように、２枚の下枠スロープ部材４の両端近傍に配置されている。すなわち、連結部材５は、下枠本体２２の左右両端（見付け方向の両端）つまり縦枠２３、２４から設定寸法（例えば６０ｍｍ）以内の近接した位置に配置されている。また、下枠本体２２の見付け方向中間部に位置する下枠スロープ部材４の連結部分（小口キャップ６）から設定寸法（例えば６０ｍｍ）以内の近接した位置に配置されている。
従って、本実施形態では、連結部材５は４カ所に配置され、後述するように、ビス５６によって下枠本体２２に固定されている。
【００２３】
連結部材５は、図５，６にも示すように、中間上面部２２２および浴室端部側上面部２２３上に載置される板状のベース部５０と、このベース部５０の脱衣室側に設けられた厚肉の固定部５３と、固定部５３の脱衣室側の辺から立設された係合壁部５４とを備えている。従って、ベース部５０は固定部５３から浴室側に向かって延長されている。
この連結部材５は、合成樹脂によって一体成形で構成されている。
ベース部５０は、中間上面部２２２上に載置される第１ベース部５１と、浴室端部側上面部２２３上に載置される第２ベース部５２とを備える。各ベース部５１，５２は、中間上面部２２２および浴室端部側上面部２２３の勾配に合わせた角度で形成されている。
このため、第１ベース部５１は、固定部５３から浴室側に向かってほぼ水平方向に延設されている。また、第２ベース部５２は、第１ベース部５１の浴室側の先端から浴室側に斜め下方に向かって延設されている。
このように構成された連結部材５は、脱衣室床１１０から浴室床１００に向かう方向の寸法が、下枠本体２２の見付け方向（各レール４２１，４３１，４４１の長手方向）に沿った幅寸法よりも大きくされ、浴室出入口用建具１の見込み方向に細長い形状とされている。
また、ベース部５０の先端側は、先端に向かうにしたがって幅寸法が小さくなるように形成されている。
具体的には、第１ベース部５１は固定部５３側から第２ベース部５２に向かうにしたがって幅寸法が徐々に小さくなるように設定されている。また、第２ベース部５２は、第１ベース部５１側から先端側（浴室側）に向かうにしたがって幅寸法が徐々に小さくなるように設定されている。さらに、第２ベース部５２の先端部５２３は円弧状に形成されている。
【００２４】
このため、ベース部５０の幅方向の２つの側面５０１，５０２は、前記先端部５２３で互いに連続して収束している。
すなわち、ベース部５０の一方の側面５０１は、第１ベース部５１の一方の側面５１１と、第２ベース部５２の一方の側面５２１とを備えている。
また、ベース部５０の他方の側面５０２は、第１ベース部５１の他方の側面５１２と、第２ベース部５２の他方の側面５２２とを備えている。
そして、第２ベース部５２の各側面５２１，５２２は、平面円弧状に湾曲された前記先端部５２３で互いに連続して繋がっている。
この際、側面５０１を構成する側面５１１および側面５２１は滑らかに連続し、側面５０２を構成する側面５１２および側面５２２も滑らかに連続している。さらに、側面５２１および側面５２２は、先端部５２３の円弧面に滑らかに連続している。
さらに、第１ベース部５１を幅方向に切断した図７に示すように、各側面５０１，５０２（第１ベース部５１の側面５１１，５１２および第２ベース部５２の側面５２１，５２２）は、上面から下面に向かうにしたがって外側に傾斜されている。
また、固定部５３の各側面５３１，５３２は鉛直面とされている。この側面５３１，５３２は、側面５０１，５０２に連続して形成されている。
なお、側面５０１，５０２や側面５３１，５３２の上下面に連続する角部は面取りされて円弧状に形成されている。このため、側面５０１，５０２の下端部と、下枠本体２２の上面部２２０との間には、前記面取り部分による微少な溝が形成されることになる。
【００２５】
固定部５３の下面には、図６にも示すように、前記溝２２８に係合する突条部５５が形成されている。
このため、連結部材５を１本のビス５６で固定しても、突条部５５を溝２２８に係合させることで、連結部材５を回り止めすることができ、連結部材５のビス止め作業を容易に行うことができる。
固定部５３には、前記ビス５６の頭が収納される凹部５３３が形成され、ビス５６は固定部５３の上面よりも上方に突出することがないように構成されている。
固定部５３の上面は略水平面とされ、下枠スロープ部材４を支持できるように構成されている。また、図６に示すように、係合壁部５４は固定部５３の脱衣室側から湾曲しながら上方に延設され、弾性変形可能に構成されている。この係合壁部５４には、下枠スロープ部材４のフック部４３３が係合する係合突起５４１が脱衣室側に向かって突設されている。
【００２６】
［排水空間］
図４に示すように、前記下枠スロープ部材４の係合部４１を突片２２７の下側に差し込み、フック部４３３を連結部材５の係合突起５４１に係合させることで、下枠スロープ部材４は下枠本体２２の上面に取り付けられる。
この際、第１平面部４２の下面のスペーサ４２３が脱衣室側上面部２２１に載置され、第２平面部４３は連結部材５の固定部５３上に載置され、第３平面部４４は第１ベース部５１上に載置される。このため、下枠本体２２および下枠スロープ部材４間には排水空間７が形成される。
この排水空間７の高さ寸法は、浴室出入口の段差を小さくしてバリアフリー化を図るためにはできるだけ小さいことが好ましい。このため、浴室床１００と脱衣室床１１０との段差寸法（例えば１０〜２０ｍｍ程度）に応じて設定され、例えば、５ｍｍ前後とすればよい。
【００２７】
次に、浴室出入口用建具１における排水構造について説明する。
浴室側から下枠スロープ部材４の傾斜面部４５部分に流れ込んだ水は、傾斜面部４５の水勾配によって浴室側に戻される。また、下枠スロープ部材４部分に流れ込む水が多い場合や、障子３の浴室面にかかって流れ落ちた水は、各平面部４２，４３，４４に流れ込み、排水孔を介して下枠本体２２上に流れ落ちる。
下枠本体２２上に流れ落ちた水は、上面部２２０の水勾配によって浴室側に流れる。この際、特に中間上面部２２２は水勾配が小さいため、残水しやすい。本実施形態では、中間上面部２２２には連結部材５が取り付けられており、連結部材５の側面に接触した残水は、水滴形状が壊されることで、連結部材５の固定部５３の側面５３１，５３２やベース部５０の側面５０１，５０２に沿って引水される。そして、ベース部５０の各側面５０１，５０２は、先端部５２３で連続して収束するため、側面５０１，５０２に沿って流れた水は、先端部５２３で合流して大きくなる。このため、残水は、連結部材５に接触したまま停滞することがなく、浴室側に流れる。
特に、第２ベース部５２およびこの第２ベース部５２が設置される浴室端部側上面部２２３は、中間上面部２２２に比べて水勾配が大きいため、第１ベース部５１の側面５１１，５１２から第２ベース部５２の側面５２１，５２２まで引水された水は、前記水勾配の影響も受けて、側面５２１，５２２に沿って流れ、さらに先端部５２３で合流して浴室床１００に流れる。
また、連結部材５（ベース部５０）の先端部５２３は、下枠本体２２よりも浴室床１００側に突出しているので、先端部５２３で合流した水は、そのまま浴室床１００に流れ落ちる。
さらに、中間上面部２２２には、溝２２８が形成されているので、中間上面部２２２に残った水を溝２２８に沿って連結部材５まで引水することができる。そして、連結部材５の側面に水が接触すれば、前述のとおり、側面５０１，５０２に沿って浴室床１００まで水を引水して排出できる。
また、連結部材５は、下枠スロープ部材４の端部（小口部分）の近傍位置に配置されるため、特に、連結部材５および小口キャップ６間に残水が生じることを防止できる。すなわち、小口キャップ６および連結部材５間の間隔が所定寸法（例えば６０ｍｍ以下）に設定されていれば、連結部材５および小口キャップ６間の水みちが途切れにくくなる。このため、これらの間に位置する水は、水滴となって留まることが少なく、連結部材５や小口キャップ６に引水されて浴室床１００側に排水される。
【００２８】
このような本実施形態によれば、以下のような効果がある
（１）連結部材５は、ベース部５０が浴室側に向かって延長され、その浴室側の先端部５２３は先端に向かうにしたがって幅寸法が小さくなり、前記連結部材５の２つの側面５０１，５０２に連続する先端面が前記先端部５２３で互いに連続して収束する形状とされているので、前記側面５０１，５０２に接触した残水は、水滴形状が壊されることで、前記側面５０１，５０２に沿って引水され、前記先端部５２３で両側面５０１，５０２からの水が合流して大きくなり、連結部材５に接触したまま停滞することなく、浴室側に容易に流すことができる。
（２）連結部材５の先端部５２３は、下枠本体２２よりも浴室床１００側に突出しているため、側面５０１，５０２に沿って引水した残水を、先端部５２３から容易に浴室床１００側に排水することができる。
（３）従来の引水部材は、その下面に表面積を拡大するため溝や凹部などが多数形成されているので、その溝部分にゴミや、シャンプー、洗剤などが溜まり、清掃も困難である。
これに対し、本実施形態の連結部材５は、側面５０１，５０２に残水を接触させて排水するものであり、多数の溝や凹部を形成していないので、ゴミなどが溜まることも無く、容易に清掃することもできる。
（４）連結部材５は、浴室側の先端部５２３を平面円弧形状に構成したので、側面５０１，５０２に沿って引水された水を、先端部５２３の円弧状の先端面にスムーズに移動できる。さらに、両側面５０１，５０２から引水された水を前記先端面でスムーズに合流させることができ、大きな水滴となった水を先端部５２３から容易に排出できる。
すなわち、従来のアタッチメント取付部材のように、浴室側の前面部と、この前面部に直交する２つの側面部と、脱衣室側の後面部とを備える平面矩形状の部材を設けた場合、前記側面部に沿って引水された水滴は、前面部と各側面部の交差部分でそれぞれ分散されて排水される。このため、水滴を一カ所に収束することができず、排水性能を向上できない。
一方、前記実施形態の連結部材５は、側面５０１，５０２に沿って引水された水が、先端部５２３の先端面の一カ所に収束しやすく、各水が表面張力等で合流して排水しやすくできるため、排水性能を向上できる。
（５）連結部材５は、下枠スロープ部材４の取付用の係合壁部５４も備えるため、排水空間７に、アタッチメントと引水部材との２種類の部材を配置する従来例に比べて部品点数を少なくでき、施工作業も容易に行うことができる。
（６）連結部材５の側面５０１，５０２は、連結部材５の上面から下面に向かって外側に傾斜されているので、鉛直面の場合に比べて残水接触面を大きくでき、引水効果を増大できる。
（７）連結部材５の先端部５２３を円弧状に形成したので、連結部材を平面三角形状に形成した場合に比べて、連結部材５の側面５０１，５０２の表面積を大きくできる。このため、表面張力を上げて水滴を集まりやすくすることができ、その分、排水性能を向上できる。
また、本実施形態は、円弧状の先端部５２３を備えることで、直線状の側面同士を交差させた平面三角形状の部材に比べて、排水速度も遅くなるため、途切れなく排水を促すこともできる。
【００２９】
本発明は、以上に説明した実施形態に限定されず、本発明の目的を達成できる範囲での変形例等は、本発明に含まれる。
例えば、連結部材としては、図８，９に示す連結部材５Ａ，５Ｂを用いてもよい。なお、連結部材５Ａ、５Ｂは、主にベース部の構成が前記連結部材５と異なり、その他の部分は同一の構成であるため、同一符号を付し、説明を省略する。
図８に示すように、連結部材５Ａのベース部５０Ａは、第１ベース部５１Ａおよび第２ベース部５２Ａを備える。第１ベース部５１Ａは、幅寸法が一定である点で前記実施形態の第１ベース部５１と相違する。第２ベース部５２Ａも、先端部５２３Ａの円弧面に連続する部分までは幅寸法が第１ベース部５１Ａと同じ寸法に維持されている。従って、ベース部５０Ａは、円弧状の先端部５２３Ａの幅寸法のみが徐々に小さくなるように構成されている。
また、ベース部５０Ａの側面５０１Ａ（側面５１１Ａ，５２１Ａ）と、側面５０２（側面５１２Ａ，側面５２２Ａ）とは鉛直面とされ、先端部５２３Ａの円弧面で互いに連続している。
さらに、連結部材５Ａの各側面５０１Ａ，５０２Ａには、側面に沿って延長された溝５７が形成されている。この溝５７は、連結部材５Ａの下面および側面に開口され、連結部材５Ａを下枠本体２２に取り付けた際に、その上面部２２０との間で凹溝を形成する。そして、上面部２２０との間に凹溝が形成されることで、引水効果を向上でき、溝５７で残水を案内して排水できる。
【００３０】
図９に示すように、連結部材５Ｂのベース部５０Ｂは、第１ベース部５１Ｂおよび第２ベース部５２Ｂを備える。第１ベース部５１Ｂは、前記実施形態の第１ベース部５１と比べて幅寸法の減少割合が大きくされている。第２ベース部５２Ｂの幅寸法も第２ベース部５２Ａと比べて小さくされている。このため、第２ベース部５２Ｂの幅寸法は先端部５２３Ｂに向かうにしたがって僅かに小さくなり、さらに、先端部５２３Ｂの幅寸法が先端に向かうにしたがって徐々に小さくなるように構成されている。
そして、先端部５２３Ｂの円弧面において各側面５０１Ｂ（側面５１１Ｂ，５２１Ｂ），５０２Ｂ（側面５１２Ｂ，側面５２２Ｂ）は鉛直面とされ、先端部５２３Ｂの円弧面で互いに連続している。
【００３１】
なお、連結部材の具体的な形状は、前述した連結部材５、５Ａ，５Ｂに限定されるものではなく、ベース部の先端部が先端に向かうにしたがって幅寸法が小さくなり、ベース部の側面が先端部で互いに連続する形状であればよい。
さらに、ベース部の側面は、連結部材５の側面５０１，５０２ように下面側が外側に広がる傾斜面でもよいし、連結部材５Ａ、５Ｂの側面５０１Ａ，５０２Ａ、側面５０１Ｂ、５０２Ｂのように鉛直面でもよい。さらに、側面５０１，５０２の傾斜方向とは逆向きの傾斜（ベース部の上面側の幅寸法が下面側の幅寸法よりも大きくなるように傾斜）させてもよい。
また、浴室出入口用建具１としては、三枚片引き戸に限定されず、開き戸、折れ戸、三連引き戸、片引き戸、二枚引き戸等の各種形式の浴室出入口用建具でもよい。従って、建具枠２や障子３の具体的な構造、材質などは、実施にあたって適宜設定すればよい。
【実施例１】
【００３２】
前記実施形態の連結部材５を設けた場合と、設けない場合とで、残水の発生つまり排水性能を評価した。なお、残水の発生は、排水空間７の高さ寸法と勾配にも影響される。そこで、排水空間７において高さ寸法と勾配とを変化させて評価している。
高さ寸法は、最も隙間寸法が小さい下枠本体２２の中間上面部２２２と、下枠スロープ部材４の第３平面部４４との寸法を１〜７ｍｍまで１ｍｍ単位で設定している。
勾配は、上面部２２０において最も勾配の小さな中間上面部２２２の勾配（角度）を１〜５°まで１°単位で設定している。
このような設定において、所定量の水を散水し、所定時間後の残水状態を確認した結果を表１，２に示す。
表１は比較例として連結部材５を設けない場合の評価結果であり、表２は連結部材５を設けた場合の評価結果である。各評価として、残水が無い、あるいは殆ど無い場合は「○」を、残水がある場合には「×」を記載している。
【００３３】
【表１】
2014148883.tif 000003
【００３４】
【表２】
2014148883.tif 000004
【００３５】
表１、２から明らかなように、連結部材５を設定したほうが、残水が少なくなり、排水性能が向上していることを確認できた。
【符号の説明】
【００３６】
１…浴室出入口用建具、２…建具枠、３…障子、４…下枠スロープ部材、５，５Ａ，５Ｂ…連結部材、６…小口キャップ、７…排水空間、２２…下枠本体、４１…係合部、４２…第１平面部、４３…第２平面部、４４…第３平面部、４５…傾斜面部、５０，５０Ａ，５０Ｂ…ベース部、５１，５１Ａ，５１Ｂ…第１ベース部、５２，５２Ａ，５２Ｂ…第２ベース部、５３…固定部、５４…係合壁部、５５…突条部、５６…ビス、５７…溝、２２０…上面部、２２１…脱衣室側上面部、２２２…中間上面部、２２３…浴室端部側上面部、２２５…立上部、２２６…被覆部、２２７…突片、２２８…溝、４３３…フック部、５０１，５０１Ａ，５０１Ｂ，５０２，５０２Ａ，５０２Ｂ，５１１，５１２，５１１Ａ，５１１Ｂ，５１２Ａ，５１２Ｂ，５２１，５２２，５２１Ａ，５２１Ｂ，５２２Ａ，５２２Ｂ…側面、５２３，５２３Ａ，５２３Ｂ…先端部、５３１，５３２…側面、５３３…凹部、５４１…係合突起。
【図１】
2014148883.tif 000005
【図２】
2014148883.tif 000006
【図３】
2014148883.tif 000007
【図４】
2014148883.tif 000008
【図５】
2014148883.tif 000009
【図６】
2014148883.tif 000010
【図７】
2014148883.tif 000011
【図８】
2014148883.tif 000012
【図９】
2014148883.tif 000013